(57)【要約】【課題】  撮影機能を備えた機器に用いて好適な観察具を提供する。【解決手段】  周状に形成され、周の中心側に向かって傾斜する第１側部１１を有し、上端部から下端側に向かって内側の開口面積が狭くなる形状の内側部材１０と、周状に形成され、周の中心側に向かって傾斜する第２側部２１を有し、第２側部の内側に、上端部から下端側に向かって開口面積が狭くなる支持部２２を備えた外側部材２０と、外側部材の開口部上端２４ａを覆う平面形状を備えるホログラム部材３０と、を有し、ホログラム部材３０は、点光源により所定の像を発現させるホログラムを記録したものであり、第１側部１１の底面と、支持部２２の上面に挟まれた位置に配置され、第１側部１１の外面には、上端側から下端側に向かって当該外面との距離が短くなる稜線１２ａを備えた凸部１２が形成されている。【選択図】  図４
2018101107.tif 000002
【特許請求の範囲】
【請求項１】
周状に形成され、周の中心側に向かって傾斜する第１側部を有し、上端側から下端側に向かって内側の開口面積が狭くなる形状の内側部材と、
周状に形成され、周の中心側に向かって傾斜する第２側部を有し、第２側部の内側に、上端側から下端側に向かって開口面積が狭くなる支持部を備えた外側部材と、
前記外側部材の開口部上端を覆う光学フィルム部材と、を有し、
前記光学フィルム部材は、点光源により所定の像を発現させるための光回折現象を生じさせる情報を記録したものであり、前記第１側部の底面と、前記支持部の上面に挟まれた位置に配置され、
前記第１側部の外面には、上端側から下端側に向かって当該外面との距離が短くなる稜線を備えた凸部が形成されていることを特徴とする観察具。
【請求項２】
前記外側部材の底面に重ねて接着剤層が形成されていることを特徴とする請求項１に記載の観察具。
【請求項３】
前記光学フィルム部材は、ホログラムを記録したものであることを特徴とする請求項１または請求項２に記載の観察具。
【発明の詳細な説明】
【技術分野】
【０００１】
本発明は、レンズを備えた撮影機器でファンタジーな画像、すなわち幻想的あるいは空想的な画像を観察するための観察具に関する。より詳しくは、前記ファンタジーな画像を生成するために例えばホログラムを応用した光学フィルムを用いた観察具に関する。
【背景技術】
【０００２】
ホログラムとは、波長の等しい２つの光（物体光および参照光）を干渉させて物体光の波面を干渉縞として感光材料に記録したものである。ホログラムに形成されるべき干渉縞のパターンは、現実の物体光と参照光を用いずに、予定した再生照明光の波長や入射方向、並びに、再生されるべき像の形状や位置等に基づき計算機を用いて設計されてもよい。このようにして得られたホログラムは、計算機合成ホログラム（ＣＧＨ：Computer Generated Hologram）とも呼ばれる。
【０００３】
これらのホログラムに元の参照光と同一条件の光を当てると干渉縞による回折現象が生じ、元の物体光と同一の波面が再生される。中でもフーリエ変換ホログラムは、点光源からの光照射により入射光が所定のイメージへ変換されて光像として発現するという特異な性質を有することから、新たな用途展開が検討されている（例えば、特許文献１および特許文献２参照）。
【先行技術文献】
【特許文献】
【０００４】
【特許文献１】特開２００７−１１１５６号公報
【特許文献２】特開２００７−４１４５４５号公報
【発明の概要】
【発明が解決しようとする課題】
【０００５】
一方、近年では、デジタル技術、通信技術の進歩に伴い、撮影機能を備えたカメラ機器が急速に普及している。特に、スマートフォンと呼ばれる多機能型携帯電話は、画面も比較的大きく、撮影対象を視認しながら、所望の静止画や動画を撮影可能となっている。
【０００６】
そこで、本発明は、撮影機能を備えた機器に用いて好適な観察具を提供することを課題とする。
【課題を解決するための手段】
【０００７】
上記課題を解決するため、本発明では、
周状に形成され、周の中心側に向かって傾斜する第１側部を有し、上端側から下端側に向かって内側の開口面積が狭くなる形状の内側部材と、
周状に形成され、周の中心側に向かって傾斜する第２側部を有し、第２側部の内側に、上端側から下端側に向かって開口面積が狭くなる支持部を備えた外側部材と、
前記外側部材の開口部上端を覆う光学フィルム部材と、を有し、
前記光学フィルム部材は、点光源により所定の像を発現させるための光回折現象を生じさせる情報を記録したものであり、前記第１側部の底面と、前記支持部の上面に挟まれた位置に配置され、
前記第１側部の外面には、上端側から下端側に向かって当該外面との距離が短くなる稜線を備えた凸部が形成されていることを特徴とする観察具を提供する。
【０００８】
本発明によれば、周状に形成され、周の中心側に向かって傾斜する第１側部を有し、上端部から下端側に向かって内側の開口面積が狭くなる形状の内側部材と、周状に形成され、周の中心側に向かって傾斜する第２側部を有し、第２側部の内側に、上端部から下端側に向かって開口面積が狭くなる支持部を備えた外側部材と、外側部材の開口部上端を覆う平面形状を備える光学フィルム部材と、を有し、光学フィルム部材は、点光源により所定の像を発現させるための光回折現象を生じさせる情報を記録したものであり、第１側部の底面と、支持部の上面に挟まれた位置に配置され、第１側部の外面には、上端側から下端側に向かって外面との距離が短くなる稜線を備えた凸部が形成されているので、外側部材の底面側を撮影機能を備えた機器のレンズ付近にあてることにより、点光源を被写体としたときに、光回折現象を生じさせる情報との相乗効果により、より魅力的な写真や映像を得ることが可能となる。
【０００９】
また、本発明は、前記外側部材の底面に重ねて接着剤層が形成されていることを特徴とする。本発明によれば、外側部材の底面に重ねて接着剤層が形成されているので、撮影機能を備えた機器に容易に装着することが可能となる。
【００１０】
また、本発明は、前記光学フィルム部材は、ホログラムを記録したものであることを特徴とする。本発明によれば、光学フィルム部材にホログラムを記録しているので、点光源を被写体としたときに、一層魅力的な写真や映像を得ることが可能となる。
【発明の効果】
【００１１】
本発明によれば、撮影機能を備えた機器に用いてファンタジーな画像を好適に観察できる観察具を提供することが可能となる。
【図面の簡単な説明】
【００１２】
【図１】本発明の一実施形態に係る観察具を構成する内側部材の側面図および下面図である。
【図２】本発明の一実施形態に係る観察具を構成する外側部材の側面図および下面図である。
【図３】本発明の一実施形態に係る観察具を構成する光学フィルム部材の断面図である。
【図４】内側部材１０、外側部材２０、ホログラム部材３０の３つの部材を組み合わせた状態を示す断面図である。
【図５】接着剤層を備えた観察具の応用例を示す図である。
【図６】本実施形態に係る観察具の利用例を示す図である。
【発明を実施するための形態】
【００１３】
以下、本発明の好適な実施形態について図面を参照して詳細に説明する。図１は、本発明の一実施形態に係る観察具を構成する内側部材の側面図および下面図である。図２は、本発明の一実施形態に係る観察具を構成する外側部材の側面図および下面図である。図３は、本発明の一実施形態に係る観察具を構成する光学フィルム部材の一例としてホログラム部材を用いた場合の断面図である。以下、本実施形態においては、光学フィルム部材の一例としてホログラム部材を用いた例で説明する。本実施形態に係る観察具は、内側部材、外側部材、ホログラム部材の３つの部材からなる。
【００１４】
＜１．内側部材＞
まず、内側部材について説明する。図１（ａ）は内側部材の下面図、図１（ｂ）は、図１（ａ）におけるＡ−Ａ線断面図である。図１（ｂ）においては、説明の便宜上、断面図に投影した箇所を破線で示している。内側部材１０は、全体として内部に空洞を持つ筒状の形態をしている。内側部材１０は、図１（ｂ）に示すように、上端から下端に向かって内側に傾斜している第１側部１１を有し、この第１側部１１が周状に連続した状態で筒状に形成され、内側に開口部１４を形成している。第１側部１１が、上端から下端に向かって内側（周の中心側）に傾斜しているため、筒状の内側の空洞部分である開口部１４は、円形の開口部上端１４ａの面積が最も広く、円形の開口部下端１４ｂの面積が最も狭く、その間は下端に向かうに従って開口面積が徐々に小さくなっている。図１（ｂ）に破線で示すように、フランジ部１３は、第１側部１１の上縁に連設され、外側に向かって水平方向に延びている。
【００１５】
第１側部１１は、所定の厚みを持ち、その下端は、その厚みに相当する面積を持つ底面１１ａとなっている。本実施形態では、図１（ｂ）に示すように、下端に向かうに従って徐々に厚みが小さくなる態様となっている。下端に位置する底面１１ａは、図１（ａ）に示すように、開口部１４の周囲に形成される。図１（ｂ）に示すように、底面１１ａは、フランジ部１３の上縁と平行となっている。第１側部１１の内側の面は、滑らかな曲面状となっている。第１側部１１の外側の面は、図１（ａ）に示すように、３つの凸部１２以外の部分においては、滑らかな曲面状となっている。
【００１６】
第１側部１１の外面には、３つの凸部１２が形成されている。凸部１２は、第１側部１１から外側に向かっていわゆるリブ状に突出した凸部であり、第１側部１１におけるフランジ部１３の下縁部から第１側部１１の下端（底面１１ａの位置）まで、徐々に狭くなるように形成されている。凸部１２は、第１側部１１の外面と同じ高さにある線分である境界部１２ｂ，１２ｂと稜線１２ａをもち、稜線１２ａと境界部１２ｂ、フランジ部１３の下縁の辺により三角形を形成している。凸部１２が有するこの２つの三角形の頂点が下端側に存在することにより、稜線１２ａが第１側部１１の上端側では、より外側に位置することになる。すなわち、凸部１２は、上端側から下端側に向かって第１側部１１の外面との距離が短くなる稜線１２ａを備えているため、外側部材と結合する際に嵌めやすく、結合した後は外側部材から外れにくくなる。
【００１７】
＜２．外側部材＞
次に、外側部材について説明する。図２（ａ）は外側部材の上面図、図２（ｂ）は、図２（ａ）におけるＢ−Ｂ線断面図である。外側部材２０も、全体として内部に空洞を持つ筒状の形態をしている。外側部材２０は、図２（ｂ）に示すように、上端から下端に向かって内側に傾斜している第２側部２１を有し、この第２側部２１が周状に連続した状態で筒状に形成されている。第２側部２１の内側には、支持部２２が周状に連続した状態で筒状に形成され、内側に開口部２４を形成している。また、上端に向かって支持部２２の断面が狭くなるように、支持部２２の外面は、上端から下端に向かって外側に傾斜しており、支持部２２の内面は、上端から下端に向かって内側に傾斜している。支持部２２の内面が、上端から下端に向かって内側（周の中心側）に傾斜しているため、支持部２２よって形成される筒状の内側の空洞部分である開口部２４は、円形の開口部上端２４ａの面積が最も広く、円形の開口部下端２４ｂの面積が最も狭く、その間は開口面積が徐々に小さくなっている。支持部２２は、下端側において第２側部２１と一体となるように形成されている。第２側部２１と支持部２２が一体となって形成された底面２３は、図２（ａ）に示すように、開口部２４の周囲に形成される。
【００１８】
第２側部２１は、所定の厚みを持っている。本実施形態では、図２（ｂ）に示すように、下端に向かうに従って徐々に厚みが大きくなる態様となっている。支持部２２は、所定の厚みを持ち、その上端は、その厚みに相当する幅を持つ上面２２ａとなっている。また、第２側部２１は、所定の厚みを持ち、その上端は、その厚みに相当する幅を持つ上面２１ａとなっている。図２（ａ）に示すように、第２側部２１の上面２１ａ、支持部２２の上面２２ａ、底面２３は、互いに平行になるように形成されている。
【００１９】
円形である開口部１４、２４の中心を通る直線を想定し、この直線からの傾斜角度について比較すると、第１側部１１の外面の傾斜角度は、第２側部２１の内面の傾斜角度より大きくなっている。また、フランジ部１３の下縁の位置における第１側部１１の外径と、上端部における第２側部２１の内径は等しくなっている。このため、内側部材１０を外側部材２０に嵌めた際に、第２側部２１により形成される開口の内径は、対応する高さ方向の位置で、フランジ部１３の下縁の位置以外では、第１側部１１により形成される内側部材１０の外径より常に大きくなっている。ただし、第１側部１１のフランジ部１３の下縁と凸部１２を合わせた幅は、外側部材２０の内径より大きくなる。内側部材１０と外側部材２０は弾性のある樹脂製であるため、凸部１２の幅は吸収されることになる。
【００２０】
内側部材１０および外側部材２０は、いずれも樹脂製である。樹脂であれば、特に限定されず、公知の様々な組成のものを用いることができるが、汎用性の高いＡＢＳ（アクリロニトリル−ブタジエン−スチレン共重合体）樹脂やＰＰ（ポリプロピレン）を用いることが好ましい。
【００２１】
＜３．ホログラム部材＞
図３に示すように、本実施形態のホログラム部材３０は、透明基材３１と、透明基材３１に重ねて形成されたホログラム形成層３２と、を備えている。このうち透明基材３１は、ホログラム形成層３２を支持するためのものである。ここで、透明基材３１における「透明」とは、「半透明」を含むものであり、点光源からの光を透過させることが可能な程度の透明性を有することをいう。
【００２２】
透明基材３１は、可視光領域における透過率（以下、光透過率と称する場合がある）が、高いものほど好ましく、具体的には、例えば、光透過率が８０％以上であることが好ましく、中でも９０％以上であることがより好ましい。透明基材３１の光透過率を上述の範囲内とすることにより、ホログラム形成層３２まで光を十分に透過させることができ、ホログラム形成層３２が表示する表示対象が視認されやすくなるからである。なお、本明細書において「光透過率」とは、ＪＩＳ  Ｋ７３６１−１により測定した値をいう。
【００２３】
また、透明基材３１は、ヘイズ値が低いものほど好ましく、具体的には、例えば、ヘイズ値が０．０１％〜５％の範囲内にあるものが好ましく、中でも０．０１％〜３％の範囲内であるものが好ましく、特に０．０１％〜１．５％の範囲内であるものが好ましい。透明基材３１のヘイズ値を上述の範囲内とすることにより、視認性を阻害すること無く、透明基材３１を介して対象物を視認することが可能となるからである。なお、本明細書において「ヘイズ値」とは、ＪＩＳ  Ｋ７１３６に準拠して測定した値をいう。
【００２４】
透明基材３１の材料としては、上述の光透過率およびヘイズ値を示すものであれば特に限定されるものではなく、例えばポリエチレンテレフタレート、ポリカーボネート、アクリル樹脂、シクロオレフィン樹脂、ポリエステル樹脂、ポリスチレン樹脂、アクリルスチレン樹脂等の樹脂フィルム、石英硝子、パイレックス（登録商標）、合成石英板等のガラスを用いることができる。中でも、透明基材３１としては、軽量かつ破損等の危険性が少ないという点から、樹脂フィルムを用いることが好ましく、複屈折性の面からポリカーボネートが最適である。
【００２５】
透明基材３１は、難燃剤を含んでいてもよい。難燃性が求められる用途においても本実施の形態によるホログラム部材３０を用いることができるからである。難燃剤としては、例えば、リン系難燃剤、窒素系難燃剤、金属塩系難燃剤、水酸化物系難燃剤、アンチモン系難燃剤等の無機系難燃剤、シリコーン系難燃剤等の任意の難燃剤を用いることができる。なお、難燃剤の添加量については、透明基材３１が所望の光透過性およびヘイズ値を示すことが可能な量であればよく、適宜設定することができる。
【００２６】
また、透明基材３１は、紫外線吸収剤、熱線吸収剤等を含むものであってもよい。紫外線および熱線等が当たることによりホログラム形成層３２の劣化が生じることを抑制するとともに、本実施形態によるホログラム部材３０を紫外線吸収フィルタや熱線カットフィルタ等として用いることができるからである。
【００２７】
透明基材３１の膜厚としては、ホログラム形成層３２を支持するための剛性および強度を有することが可能な厚さであればよく、例えば０．００５ｍｍ〜５ｍｍ程度であることが好ましく、中でも０．０２ｍｍ〜１ｍｍの範囲内であることが好ましい。本実施形態では、ホログラム部材３０は、内側部材１０と外側部材２０に挟まれて保持されるため、ある程度の剛性が必要となる。そのため、５０μｍ〜７０μｍであることがより好ましい。また、透明基材３１の形状は、特に限定されるものではないが、内側部材１０と外側部材２０の開口部を覆う形状である必要がある。
【００２８】
透明基材３１は、ホログラム形成層３２との密着性を向上させるために、例えば表面にコロナ処理等が行われていてもよい。
【００２９】
ホログラム形成層３２は、点光源から入射する光を再生像（光像）へ変換するフーリエ変換ホログラムを含んでいる。すなわち、点光源により所定の像を発現させるホログラムを含んでいる。ここで、点光源とは、発光部の大きさが受光部までの距離に比べて小さく、点とみなせる光源を意味する。従って、近くであれば面光源となるものであっても、遠くから見れば点光源となることもあり得る。例えば、ペンライトの光、ＬＥＤライト、花火、ろうそくの火、イルミネーション、夜景等が点光源として機能し得る。また、レーザー光を通過させた場合には、通過先に再生像が投影される。ホログラム形成層３２の膜厚としては特に限定されず、例えば０．１μｍ〜５０μｍ程度とすることができる。
【００３０】
本実施形態では、フーリエ変換ホログラムは、計算機合成ホログラム（ＣＧＨ）であり、原画の画像データをもとに形成される２値以上（２値、４値、８値、…）に多値化されたフーリエ変換像を、縦横方向に所望の範囲まで複数個配列させたときの、フーリエ変換像のパターンに相当するものである。
【００３１】
フーリエ変換ホログラムの内容としては、特に限定されるものではなく、例えば、文字、記号、マーク、ロゴ、イラスト、キャラクター、写真等の絵柄、会社名、商品名、セールスポイント、キャッチコピー、取扱説明等の各種文字情報等を挙げることができる。
【００３２】
ここで、ホログラム形成層３２は、点光源から入射した光を所望の光像へ変換する機能を有する透過型フーリエ変換ホログラムが形成されたものであれば、その種類は特に限定されるものではない。例えばホログラム形成層３２の表面に凹凸構造を有する表面位相型回折光学素子層であってもよく、またホログラム形成層３２の内部に屈折率分布を有する内部位相型回折光学素子層であってもよい。またさらに、ホログラム形成層３２に透過率分布を有する振幅型回折光学素子層であってもよい。以下、それぞれの場合についてわけて説明する。
【００３３】
（表面位相型回折光学素子層）
ホログラム形成層３２が表面位相型回折光学素子層である場合、ホログラム形成層３２には、表面に凹凸が形成されることとなる。本実施形態においては、ホログラム形成層３２は、透明なものであってもよく、また着色されていてもよい。
【００３４】
このようなホログラム形成層３２の形成方法としては、例えば以下の方法とすることができる。まずホログラム形成層３２によって表示させる画像のデータを、計算によりフーリエ変換データとし、このフーリエ変換データを２値化、または４値化等する。さらにこのデータを、電子線描画用の矩形データへ変換し、この矩形データを半導体回路マスク等の描画に用いられる電子線描画装置で、ガラス板等へ塗布されたレジスト面へ描画することにより、原版を作製する。その後、例えば２Ｐ法（ＰｈｏｔｏＰｏｌｙｍｅｒｉｚａｔｉｏｎ法）や、射出成形法、ゾルゲル法、ハードエンボス法、ソフトエンボス法、セミドライエンボス法、各種ナノインプリント法等により、原版の凹凸を複製した層を形成することにより、ホログラム形成層３２を形成することができる。本実施形態においては、上記の中でも特に、効率よくホログラム形成層３２を形成可能であることから、２Ｐ法が用いられることが好ましい。
【００３５】
上記２Ｐ法によるホログラム形成層３２の形成は、例えば、原版上に電離放射線硬化性樹脂組成物を滴下し、その電離放射線硬化性樹脂組成物上に透明基材を積置し、押圧する。次いで、原版側、もしくは透明基材３１側から紫外線等の電離性放射線を照射して、電離放射線硬化性樹脂組成物を硬化させた後、電離放射線硬化性樹脂組成物および透明基材３１を、原版側から剥離する方法等によって行うことができる。
【００３６】
ここで、ホログラム形成層３２の形成には、従来からレリーフ型ホログラム形成層の材料として使用されている熱硬化性樹脂、熱可塑性樹脂、電離放射線硬化樹脂等の各種樹脂材料いずれも使用可能であり、特に限定されない。
【００３７】
上記熱硬化性樹脂としては、例えば、不飽和ポリエステル樹脂、アクリル変性ウレタン樹脂、エポキシ変性アクリル樹脂、エポキシ変性不飽和ポリエステル樹脂、アルキッド樹脂、フェノール樹脂等が挙げられる。また、上記熱可塑性樹脂としては、例えば、アクリル酸エステル樹脂、アクリルアミド樹脂、ニトロセルロース樹脂、ポリスチレン樹脂等が挙げられる。
【００３８】
これらの樹脂は単独重合体であっても２種以上の構成成分からなる共重合体であっても良い。また、これらの樹脂は単独であるいは２種以上を組合せて使用することができる。これらの樹脂には、各種イソシアネート化合物、ナフテン酸コバルト、ナフテン酸亜鉛等の金属石鹸、ベンゾイルパーオキサイド、メチルエチルケトンパーオキサイド等の有機過酸化物、ベンゾフェノン、アセトフェノン、アントラキノン、ナフトキノン、アゾビスイソブチロニトリル、ジフェニルスルフィド等の熱あるいは紫外線硬化剤を適宜選択、配合することもできる。電離放射線硬化型樹脂としては、例えば、エポキシ変性アクリレート樹脂、ウレタン変性アクリレート樹脂、アクリル変性ポリエステル等が挙げられる。
【００３９】
さらにホログラム形成層３２には、必要に応じて、光重合開始剤、重合禁止剤、劣化防止剤、可塑剤、滑剤、染料や顔料などの着色剤、増量やブロッキング防止などの体質顔料や樹脂などの充填剤、界面活性剤、消泡剤、レベリング剤、チクソトロピー性付与剤等の添加剤を、適宜加えても良い。
【００４０】
（内部位相型回折光学素子層）
ホログラム形成層３２が内部位相型回折光学素子層である場合、ホログラム形成層３２には、物体光と参照光との干渉縞が記録されたものとされ、干渉縞と干渉縞間を形成する成分との屈折率差によって、光像が観察可能となる。
【００４１】
このようなホログラム形成層３２を形成する材料としては、感光性組成物を用いることができ、一般的には銀塩材料、重クロム酸ゼラチン乳剤、光重合性樹脂、光架橋性樹脂等の公知の感光性組成物を用いる。
【００４２】
（振幅型回折光学素子層）
ホログラム形成層３２が振幅型回折光学素子層である場合、ホログラム形成層３２には、白黒等の明暗の強度分布が記録されているものとされる。このようなホログラム形成層３２は、銀塩感光材料等の感光材料を用いてホログラム形成層３２を形成し、このホログラム形成層３２にレーザ光源によって、物体光と参照光との干渉光を露光する。その後、現像および定着を行うことによってホログラム形成層３２にホログラムを形成することが可能である。
【００４３】
このようなホログラム形成層３２に用いられる材料としては、例えばハロゲン化銀写真感光材料等の銀塩写真感光材料や、重クロム酸によって処理したゼラチン、感光性樹脂を用いた感光材料等が挙げられる。上記の中でも銀塩感光材料が感度が高く、分光感度分布が広く、さらに高い回折効率をもつホログラム形成層３２を形成することができるため好ましい。
【００４４】
ホログラム部材３０の平面形状は、特に限定されず、どのような形状であってもよいが、外側部材２０の開口部上端２４ａを覆う平面形状となっている必要がある。
【００４５】
＜４．観察具＞
図４は、内側部材１０、外側部材２０、ホログラム部材３０の３つの部材を組み合わせて得られた観察具を示す図である。図４（ａ）は上面図、図４（ｂ）は図４（ａ）のＣ−Ｃ線断面図である。図４（ｂ）においては、説明の便宜上、断面図に投影した箇所を破線で示している。図４において２１ｂは、外側部材２０の第２側部２１の外面の下端を示している。図４（ａ）に示す全体の上面図では、内側部材１０のフランジ部１３に隠されて、外側部材２０の第２側部２１は視認できないようになっている。図４（ａ）においては、外側部材２０の第２側部２１の外面の下端２１ｂを破線で示している。図４（ｂ）に示すように、内側部材１０の第１側部１１の底面１１ａと外側部材２０の支持部２２の上面２２ａとの間にホログラム部材３０を挟むように配置して、内側部材１０を外側部材２０に嵌めこむ。この場合、嵌合させる訳ではない。本実施形態では、内側部材１０のフランジ部１３の下縁における外径と、外側部材２０の上端部における内径は等しい。そのため、内側部材１０の凸部１２の存在により、内側部材１０のフランジ部１３の下縁（外側部材２０の上端部に相当）において、内側部材１０の第１側部１１と凸部１２を合わせた外径が、外側部材２０の第２側部２１の内径より若干大きくなる。この箇所においては、共に樹脂製である内側部材１０と外側部材２０が互いに押し合うような状態となるので、内側部材１０と外側部材２０は、容易には分離できなくなる。本実施形態では、内側部材１０のフランジ部１３の下縁における外径が２０．０ｍｍ、外側部材２０の上端部における内径が２０．０ｍｍである場合に、曲面に垂直な方向の高さが０．１５ｍｍである。また、この際、フランジ部１３の下縁における凸部１２の２つの境界部１２ｂ間の距離は、０．４ｍｍである。
【００４６】
＜５．応用例＞
観察具は、さらに接着剤層を備え、撮影機能を備えた機器（カメラ機器）に装着できるようにすることも可能である。図５は、接着剤層を備えた応用例を示す断面図である。図５に示すように、応用例では、外側部材２０の底面２３に重ねて接着剤層２５が形成されている。
【００４７】
接着剤層２５としては、上面側が外側部材２０の底面２３に剥離困難なように強接着し、下面側がカメラ機器等に再剥離再接着可能なような接着構造を有するものであれば、どのようなものであってもよい。この場合、接着剤層２５の下面側は、粘着性を持ったものとなる。カメラ機器の表面が樹脂製であったり、金属製であったりするため、接着剤層２５の下面側は、ウレタン系の接着剤を用いることが好ましい。図では、省略しているが、接着剤層２５の下面側には剥離紙が積層された状態で流通される。応用例に示すような接着剤層２５を備えることにより、観察具を入手した利用者は、剥離紙を剥がした後、接着剤層２５をカメラ機器のレンズ周りに貼ることができる。これにより、観察具は簡易に、カメラ機器に装着される。
【００４８】
カメラ機器に装着する場合、撮像視野に外側部材２０が入らないようにするために、レンズＬｅが、外側部材２０の開口部下端２４ｂに収まるようにすることが好ましい。本実施形態では、多く用いられているレンズの直径よりも大きくするため、外側部材２０の開口部下端２４ｂの内径を１０．０ｍｍとしている。なお、本実施形態では、外側部材２０の開口部上端２４ａの内径を１２．５ｍｍ、内側部材１０の開口部下端１４ｂの内径を１２．５ｍｍ、内側部材１０の開口部上端１４ａの内径を１７．０ｍｍとしている。
【００４９】
図６は、本実施形態に係る観察具の利用例を示す図である。図６の例では、撮影機能を備えたカメラ機器Ｃａとして多機能型携帯電話であるスマートフォンを用いた場合を例にとって示している。図６（ａ）は、カメラ機器Ｃａのレンズ側の面を示している。図６（ａ）に示すように観察具１００をレンズＬｅ付近に当てる。具体的には、外側部材の底面２３側がカメラ機器に対向する向きで、レンズＬｅが開口部２４にすっぽり収まるようにして当てる。このとき、上記応用例のように接着剤層２５を備えていれば、そのまま観察具をカメラ機器に装着することができるため、便利である。
【００５０】
観察具をカメラ機器に当てた状態で、カメラ機器においてカメラ機能を起動させ、点光源にレンズを向けると、レンズに入る光が、カメラ機器内のＣＣＤ等の撮像素子に入り、画像データに変換されて表示画面に表示される。したがって、この場合、表示画面には、点光源の像が表示される。さらに、ここでは、観察具をレンズに当てているため、点光源の像とともに光回折現象によるホログラム像の光も撮像素子に取り込まれる。その結果、表示画面には、点光源が映るとともに、点光源を中心とする位置に、ホログラム像が現れる。図６（ｂ）は、カメラ機器Ｃａの表示画面側の面を示している。図６（ｂ）の例では、点光源の像を星型（☆）で示しており、ホログラム像としてかき氷を模した図形を表示している。図６（ｂ）に示すように、レンズＬｅを点光源に向けると、点光源の像が映るとともに、点光源の像を中心として、ホログラム像が表示される。観察具は、内側部材１０の第１側部１１の内面と、外側部材２０の支持部２２の内面が上端から下端に向かって内側に傾斜している。すなわち、下端から上端に向かって外側に傾斜している。この傾斜の角度が、通常のレンズの画角よりも大きいため、内側部材１０の第１側部１１の内面と、外側部材２０の支持部２２の内面が映り込む惧れが極めて低い。なお、本実施形態では、円形の開口部１４、２４の中心を通る直線からの第１側部１１の内面の傾斜角度と、支持部２２の内面の傾斜角度は等しくなっている。
【００５１】
以上、本発明の好適な実施形態について説明したが、本発明は上記実施形態に限定されず、種々の変形が可能である。
（１）例えば、上記実施形態では、内側部材１０がフランジ部１３を備え、フランジ部１３の下縁と外側部材２０の第２側部２１の上面２１ａを覆うようにしたが、フランジ部１３を必ずしも形成する必要はない。
（２）上記実施形態では、光学フィルム部材の一例としてホログラム部材を例に挙げて説明した。この光学フィルム部材としては、「ファンタグラス」（大日本印刷株式会社の登録商標）が含まれる。
【符号の説明】
【００５２】
１０・・・内側部材
１１・・・第１側部
１１ａ・・・底面
１２・・・凸部
１３・・・フランジ部
１４・・・開口部
１４ａ・・・開口部上端
１４ｂ・・・開口部下端
２０・・・外側部材
２１・・・第２側部
２１ａ・・・第２側部２１の上面
２１ｂ・・・第２側部２１の外面の下端
２２・・・支持部
２３・・・底面
２４・・・開口部
２４ａ・・・開口部上端
２４ｂ・・・開口部下端
２５・・・接着剤層
３０・・・ホログラム部材
３１・・・透明基材
３２・・・ホログラム形成層
１００・・・観察具
【図１】
2018101107.tif 000003
【図２】
2018101107.tif 000004
【図３】
2018101107.tif 000005
【図４】
2018101107.tif 000006
【図５】
2018101107.tif 000007
【図６】
2018101107.tif 000008